(57)【要約】      （修正有）【課題】部品点数が少なく、組立工程簡易な光コネクタアダプタを提供する。【解決手段】スリーブ３と、スリーブが挿入される貫通孔４ｄを有する保持部４ｃと被接続対象の光コネクタプラグと嵌合して係止する弾性爪部４ｅとを有するスリーブホルダ４と、スリーブホルダに弾性爪部の外側において取付突起５ａを有した弾性装着片５ｂを併設した蓋用第２スリーブホルダ５とスリーブホルダと蓋用第２スリーブホルダとをハウジング部２ａの貫通孔２ｂに内包して保持するとともに、保持したスリーブホルダ及び蓋用スリーブホルダにハウジング部の貫通孔の両側開口部から挿入される被接続対象の光コネクタプラグを接続させるアダプタハウジング２とから構成される光コネクタアダプタ１である。【選択図】図１−Ａ
2013164500.tif 000002
【特許請求の範囲】
【請求項１】
細長い筒状の光接続用スリーブと、
該光接続用スリーブが一端側開口部から挿通され他端側開口部から係止突起で抜け出ないようにされた貫通孔を有する保持部が設けられるとともに被接続対象の光コネクタプラグと嵌合して係止する弾性爪部を有してなるスリーブホルダと、
前記スリーブホルダに前記弾性爪部の外側において取付突起を有した弾性装着片を併設してなる蓋用第２スリーブホルダと、
前記スリーブホルダと前記蓋用第２スリーブホルダとをハウジングの貫通孔に内包して保持するとともに、保持した当該スリーブホルダ及び蓋用スリーブホルダに前記ハウジングの貫通孔の両側開口部から挿入される被接続対象の光コネクタプラグを接続させるアダプタハウジングとでなり、
前記アダプタハウジングの貫通孔には、前記スリーブホルダが当該ハウジングの貫通孔の一方の開口部から挿入されて内部で位置規制部材に当接して挿入停止し、更に前記蓋用第２スリーブホルダが前記スリーブホルダの挿入後に前記ハウジングの貫通孔の一方の開口部から前記スリーブホルダと背向させて挿入されるとともに、当該蓋用第２スリーブホルダの弾性装着片の係止部が前記ハウジングの貫通孔を形成する壁面の係止部に係止し挿入停止して前記蓋用第２スリーブホルダ及び前記スリーブホルダの抜け止めとなること、
を特徴とする光コネクタアダプタ。
【請求項２】
蓋用第２スリーブホルダの弾性装着片における係止部は、複数設けられていること、
を特徴とする請求項１に記載の光コネクタアダプタ。
【発明の詳細な説明】
【技術分野】
【０００１】
本発明は、光コネクタプラグを接続する光コネクタアダプタに関するものである。
【背景技術】
【０００２】
従来、ＳＣ型光コネクタアダプタ２０は、従来例１として図６に示すように、一条のスリットを有する筒体の割りスリーブ１５と、該割りスリーブ１５を内包する左右一対のスリーブホルダ１６，１７と、該スリーブホルダ１６，１７を内部に保持形状に嵌合させて内包する一対のハウジング１８，１９とからなる。この光コネクタアダプタ２０は、部品点数が多く、また、前記一対のハウジング１８，１９を組み立てるには、互いの係合部を嵌合させた後に、超音波などにより溶着するので、設備機器が必要で組み立て工数が掛かるものである。
【０００３】
そこで、部品点数の低減を図るとともに組み付けを容易にした光コネクタアダプタが提案されている。即ち、従来例２として特許文献１に記載されているように、光接続用スリーブと、該光接続用スリーブを保持する貫通孔の長手方向の一端部を形成する筒状部材が一体的に設けられたスリーブホルダと、前記貫通孔の長手方向の他端部を形成する筒状部材が一体的に設けられるとともに前記スリーブホルダを内部に保持するハウジングと、前記スリーブホルダと前記ハウジングとを組み立てた状態で係合保持する係合手段とでなるものが知られている。
【先行技術文献】
【特許文献】
【０００４】
【特許文献１】特開２００１−３３６５８号公報
【発明の概要】
【発明が解決しようとする課題】
【０００５】
しかし、従来の光コネクタアダプタにおいては、例えば、従来例１では部品点数が多く組み立てに超音波溶着が必要で設備機器などのコストが掛かる、従来例２では、超音波溶着などの工程が無くなるものの、スリーブホルダやハウジングの成形用金型が複雑になり、光接続用スリーブを保持する他方の筒状部材がハウジングの内部に一体的に形成されているので、組み立てにも治具などが必要であり、段取りが必要で手間が掛かる。本発明に係る光コネクタアダプタは、このような課題を解決するために提案されたものである。
【課題を解決するための手段】
【０００６】
本発明に係る光コネクタアダプタの上記課題を解決して目的を達成するための要旨は、細長い筒状の光接続用スリーブと、該光接続用スリーブが一端側開口部から挿通され他端側開口部から係止突起で抜け出ないようにされた貫通孔を有する保持部が設けられるとともに被接続対象の光コネクタプラグと嵌合して係止する弾性爪部を有してなるスリーブホルダと、前記スリーブホルダに前記弾性爪部の外側において取付突起を有した弾性装着片を併設してなる蓋用第２スリーブホルダと、前記スリーブホルダと前記蓋用第２スリーブホルダとをハウジングの貫通孔に内包して保持するとともに、保持した当該スリーブホルダ及び蓋用スリーブホルダに前記ハウジングの貫通孔の両側開口部から挿入される被接続対象の光コネクタプラグを接続させるアダプタハウジングとでなり、前記アダプタハウジングの貫通孔には、前記スリーブホルダが当該ハウジングの貫通孔の一方の開口部から挿入されて内部で位置規制部材に当接して挿入停止し、更に前記蓋用第２スリーブホルダが前記スリーブホルダの挿入後に前記ハウジングの貫通孔の一方の開口部から前記スリーブホルダと背向させて挿入されるとともに、当該蓋用第２スリーブホルダの弾性装着片の係止部が前記ハウジングの貫通孔を形成する壁面の係止部に係止し挿入停止して前記蓋用第２スリーブホルダ及び前記スリーブホルダの抜け止めとなることである。
【０００７】
また、前記蓋用第２スリーブホルダの弾性装着片における係止部は、複数設けられていることを含むものである。
【発明の効果】
【０００８】
本発明に係る光コネクタアダプタによれば、アダプタハウジングが一つの部品に一体化されて部品点数が削減されて部品管理が容易になり、約２割程度のコストの低減となる。また、この一体化したアダプタハウジングは、形状の複雑なスリーブホルダ部分が形成されていないので、金型の製作が簡易となり、製作期間が短縮されコスト低減となる。更に、アダプタハウジングの強度が一体化により強化されるとともに、取り付け用のフランジ部分や係合部分の寸法精度が向上する。
スリーブホルダと蓋用第２スリーブホルダとを順番に、前記アダプタハウジングの貫通孔に差し込んでいくだけで、組立が完了するので、アダプタハウジング組立工程において超音波溶着装置等の特別な機器装置が不要となり、低コストで且つ簡単に組み立てることができる。前記蓋用第２スリーブホルダの弾性装着片における係止部が複数設けられるので、外れにくくなり、信頼性が向上する。
【図面の簡単な説明】
【０００９】
【図１−Ａ】本発明に係る光コネクタアダプタ１の後方から見た斜視図である。
【図１−Ｂ】同本発明に係る光コネクタアダプタ１の前方から見た斜視図である。
【図２】同本発明の光コネクタアダプタ１におけるスリーブホルダ４の平面図（Ａ）、左右側面図（Ｂ）、（Ｃ）、断面図（Ｄ）である。
【図３】同本発明の光コネクタアダプタ１におけるアダプタハウジング２の平面図（Ａ）、正面図（Ｂ）、断面図（Ｃ）、側面図（Ｄ）である。
【図４】同本発明の光コネクタアダプタ１の断面図（Ａ）、斜めから見た一部を破断して示す斜視図（Ｂ）、側面図（Ｃ）である。
【図５】同本発明の光コネクタアダプタ１の使用状態の断面図である。
【図６】従来例に係る光コネクタアダプタハ２０の、一部を断面にして示す分解平面図である。
【発明を実施するための形態】
【００１０】
本発明に係る光コネクタアダプタ１は、図１−Ａ及び図１−Ｂに示すように、筒状のアダプタハウジング２を一体化して、容易に形成するとともに、その組立工程も容易にするものである。
【実施例１】
【００１１】
本発明に係る光コネクタアダプタ１は、図１−Ａ及び図１−Ｂに示すように、細長い筒状の光接続用（割り）スリーブ３がある。また、該光接続用スリーブ３が一端側開口部４ａから挿通され他端側開口部４ｂから係止突起で抜け出ないようにされた貫通孔４ｄを有する保持部４ｃが設けられるとともに被接続対象の光コネクタプラグ（図５参照）６と嵌合して係止する弾性爪部４ｅを有してなるスリーブホルダ４がある。
【００１２】
前記スリーブホルダ４は、図２に示すように、貫通孔４ｄにおいては、前記スリーブ３の抜け出しを防止する係止突起４ｆが内側にリング状に突出して形成されている。また、弾性爪部４ｅは、基部から所要長さで所要幅の弾性片が突出し、その端部にロック用の係止部４ｇと係止解除用の耳部４ｈとが設けられている。
【００１３】
更に、図２（Ｃ）に示すように、基部４ｊの上下方向の縁部４ｋと、左右方向の端部から突設された止め部４ｉとは、スリーブホルダ４がアダプタハウジング２の貫通孔２ｂに挿着された際に、この貫通孔２ｂにおける位置規制部材２ｄ（図３（Ｃ）参照）に当接して、挿入停止用のストッパーとなる。
【００１４】
図１−Ａ，図１−Ｂに示すように、前記スリーブホルダ４に対して、更に前記弾性爪部４ｅの外側において複数の係止部である取付突起５ａを有した弾性装着片５ｂを追加して併設してなる蓋用第２スリーブホルダ５がある。また、基部５ｃの両端部に、前記止め部４ｉ間の間隙に挿入される嵌合突起５ｄが設けられている。前記基部５ｃの周縁部は、図３（Ｃ）に示すように、アダプタハウジング２に挿入された際には、第２位置規制部材２ｊに当接して挿入停止用のストッパーとなる。このように、蓋用第２スリーブホルダ５は、前述以外の形状等は、前記スリーブホルダ４と同じ形状である。
【００１５】
図１−Ａ，図１−Ｂに示すように、前記スリーブホルダ４と前記蓋用第２スリーブホルダ５とを、ハウジング部２ａの貫通孔２ｂに内包して保持するとともに、保持した当該スリーブホルダ４及び蓋用スリーブホルダ５に前記ハウジング部２ａの貫通孔２ｂの両側開口部から挿入される被接続対象の光コネクタプラグ６，７を接続させるアダプタハウジング２がある。
【００１６】
前記アダプタハウジング２は、図３（Ａ）〜（Ｄ）に示すように、貫通孔２ｂの中央部周壁面には、前記スリーブホルダ４が当該ハウジングの貫通孔の一方の開口部２ｃから挿入されて内部で挿入停止されるべく、周壁面全周から内側に突出された位置規制部材２ｄが突設されている。
【００１７】
更に、図３（Ｃ）に示すように、前記貫通孔２ｂの中央部周壁面には、前記蓋用第２スリーブホルダ５が前記スリーブホルダ４の挿入後に前記ハウジング部２ａの貫通孔２ｂの一方の開口部２ｃから、前記スリーブホルダ４と背向させて挿入されてその基部５ｃの周縁部が当接して挿入停止される第２位置規制部材２ｊが、突設されている。
【００１８】
また、図３（Ｃ），（Ｄ）に示すように、蓋用第２スリーブホルダ５の弾性装着片５ｂの係止部である取付突起５ａが係止して抜け止めとなる、係止部である取付孔２ｅが貫通孔２ｂの壁面に穿設されている。前記取孔２ｅと前記取付突起５ａとの組み合わせは、逆側に付いていても良く、他の公知の係止構造でもよい。こうして、前記スリーブホルダ４と前記蓋用第２スリーブホルダ５とが、貫通孔２ｂから抜け出ないようにされる。
【００１９】
また、前記アダプタハウジング２の貫通孔２ｂには、略中央部に、位置決め突起２ｆが設けられ、前記蓋用第２スリーブホルダ５の基部５ｃに形成された凹部５ｅが嵌合する。
【００２０】
このハウジング部２ａには、外周側中央部にフランジ２ｇが一体に設けられ、強固な取付が可能になっている。ハウジング部２ａの側壁面から突出しているパネル取付突起２ｈは、壁面が弾性片にされており、機器（図示せず）の筐体であるパネルの取付孔に嵌合させて固定するときに、取付孔に係合する。
【００２１】
図３（Ａ），（Ｂ）に示すように、ハウジング部２ａにおけるスリット２ｉは、図５に示す光コネクタプラグ６，７を嵌合させる時に、挿入ガイドとなるものである。
【００２２】
以上のようにして構成される本発明に係る光コネクタアダプタ１は、図１−Ａ，図１−Ｂに示すように、アダプタハウジング２の貫通孔２ｂに、一方の開口部２ｃへ後方から前方へと、スリーブホルダ４、スリーブ３、蓋用第２スリーブホルダ５を挿入して挿着するものである。
【００２３】
前記組み立ての際に、スリーブ３については、前述のように順番に挿入・挿着させるほか、例えば、スリーブ３を先にスリーブホルダ４の保持部４ｃに嵌装させ、その後、蓋用第２スリーブホルダ５の保持部に嵌装させて、これ等のサブアッセイを纏めてアダプタハウジング２の貫通孔２ｂに挿着するようにしても良い。
【００２４】
図４に示すように、アダプタハウジング２に前記スリーブホルダ４、蓋用第２スリーブホルダ５およびスリーブ３が挿着され組み立てられた状態を示す。図４（Ａ）に示すように、一体成形され、内部の貫通孔２ｂの形状も簡易な構造であるアダプタハウジング２に、スリーブ３を保持部に嵌装させて保持した背向されたスリーブホルダ４と蓋用第２スリーブホルダ５とが一方向から挿着され固定され、光コネクタアダプタ１が組み立てられるものである。
【００２５】
前記第２スリーブホルダ５の弾性装着片５ｂにおける取付突起５ａが複数用意されているので、取付孔２ｅから外れにくくなっている。前記取付孔２ｅも、一体成形であるので寸法精度が向上し、設計上における嵌合時のガタ分も狭くすることが出来る。また、アダプタハウジング２のフランジ２ｇは、一体成形されるので、取付強度が強くなり、寸法精度も向上する。
【００２６】
図５に示すように、前記光コネクタアダプタ１に、被接続対象の光コネクタプラグ６，７が、アダプタハウジング２の両側の開口部から差し込まれて挿着され、光通信が可能となるものである。
【００２７】
前記光コネクタアダプタ１の組立工程において、単に挿着する工程のみであるので、超音波による溶着工程が無く、特別な組立て機器が不要であって、組立て工期の短縮と設備投資の低減となり、部品点数の低減等によって製作コストの低減となるものである。
【産業上の利用可能性】
【００２８】
本発明に係る光コネクタアダプタ１の構造は、他の光接続構造において適用できるものである。
【符号の説明】
【００２９】
１          光コネクタアダプタ、
２          アダプタハウジング、        ２ａ        ハウジング部、
２ｂ        貫通孔、                    ２ｃ        一方の開口部、
２ｄ        位置規制部材、              ２ｅ        取付孔、
２ｆ        位置決め突起、              ２ｇ        フランジ、
２ｈ        パネル取付突起、            ２ｉ        スリット、
２ｊ        第２位置規制部材、
３          （割り）スリーブ、          
４          スリーブホルダ、            ４ａ        一端側開口部、  
４ｂ        他端側開口部、              ４ｃ        保持部、
４ｄ        貫通孔、                    ４ｅ        弾性爪部、
４ｆ        係止突起、                  ４ｇ        係止部、
４ｈ        耳部、                      ４ｉ        止め部、
４ｊ        基部、                      ４ｋ        縁部、
５          蓋用第２スリーブホルダ、
５ａ        取付突起、                  ５ｂ        弾性装着片、
５ｃ        基部、                      ５ｄ        嵌合突起、  
５ｅ        位置決め凹部、    
６          光コネクタプラグ、
７          光コネクタプラグ。
【図１−Ａ】
2013164500.tif 000003
【図１−Ｂ】
2013164500.tif 000004
【図２】
2013164500.tif 000005
【図３】
2013164500.tif 000006
【図４】
2013164500.tif 000007
【図５】
2013164500.tif 000008
【図６】
2013164500.tif 000009